(57)【要約】【課題】  アクセスポイントおよびクライアント端末の送信電力を適切に制御することができ、アクセスポイントおよびクライアント端末の消費電力を低減できるようにする。【解決手段】  ＧＰＳ受信部２１は、ＧＰＳ信号を受信しアクセスポイント位置情報を求める。ＧＰＳ受信部３１は、ＧＰＳ信号を受信し端末位置情報を求める。そして、無線ＬＡＮクライアント３０は、端末位置情報を無線ＬＡＮアクセスポイント２０に送信する。無線ＬＡＮアクセスポイント２０は、アクセスポイント位置情報および端末位置情報にもとづいて送信電力値を決定し、各無線ＬＡＮ装置２０，３０の送信電力を制御する。また、無線ＬＡＮアクセスポイント２０は、位置管理情報を記憶する位置情報データベース２２を備え、各無線ＬＡＮ装置２０，３０の位置を一括管理する。【選択図】  図２
2005303669.tif 000002
【特許請求の範囲】
【請求項１】
クライアント端末の位置を示す端末位置情報を求める端末位置算出手段と、
無線ＬＡＮのアクセスポイントの位置を示すアクセスポイント位置情報を求めるアクセスポイント位置算出手段と、
前記端末位置算出手段が求めた端末位置情報と前記アクセスポイント位置算出手段が求めたアクセスポイント位置情報とにもとづいて、送信電力値を決定する送信電力決定手段と、
前記送信電力決定手段が決定した送信電力値にもとづいて、前記クライアント端末および前記アクセスポイントの送信電力を制御する送信電力制御手段とを備えた
ことを特徴とする無線ＬＡＮシステム。
【請求項２】
クライアント端末と無線通信を行う無線ＬＡＮのアクセスポイントを備えた無線ＬＡＮシステムにおいて、
前記クライアント端末は、
当該クライアント端末の位置を示す端末位置情報を求める端末位置算出手段と、
前記端末位置算出手段が求めた端末位置情報を前記アクセスポイントに送信する端末情報送信手段とを含み、
前記アクセスポイントは、
当該アクセスポイントの位置を示すアクセスポイント位置情報を求めるアクセスポイント位置算出手段と、
前記クライアント端末から受信した端末位置情報と前記アクセスポイント位置算出手段が求めたアクセスポイント位置情報とにもとづいて、送信電力値を決定する送信電力決定手段と、
前記送信電力決定手段が決定した送信電力値にもとづいて、前記クライアント端末および前記アクセスポイントの送信電力を制御する送信電力制御手段とを含む
ことを特徴とする無線ＬＡＮシステム。
【請求項３】
送信電力決定手段は、端末位置情報とアクセスポイント位置情報とにもとづいて、アクセスポイントの送信電力値を決定し、
送信電力制御手段は、前記送信電力決定手段が決定した送信電力値にもとづいて、前記アクセスポイントの送信電力を変更する
請求項１または請求項２記載の無線ＬＡＮシステム。
【請求項４】
送信電力決定手段は、端末位置情報とアクセスポイント位置情報とにもとづいて、クライアント端末の送信電力値を決定し、
送信電力制御手段は、前記送信電力決定手段が決定した送信電力値を含む電力値情報を前記クライアント端末に送信し、
前記クライアント端末は、前記送信電力制御手段から受信した電力値情報にもとづいて、前記クライアント端末の送信電力を変更する
請求項１から請求項３のうちのいずれか１項に記載の無線ＬＡＮシステム。
【請求項５】
送信電力決定手段は、
アクセスポイントからのクライアント端末の距離を示す端末距離と送信電力値とを対応付けた対応テーブルを有し、
端末位置情報とアクセスポイント位置情報とにもとづいて端末距離を求め、
前記対応テーブルと前記求めた端末距離とにもとづいて送信電力値を決定する
請求項１から請求項４のうちのいずれか１項に記載の無線ＬＡＮシステム。
【請求項６】
複数のクライアント端末をグループに分けるグループ化手段を備え、
送信電力決定手段は、前記グループ化手段が分けたグループごとに送信電力値を決定する
請求項１から請求項５のうちのいずれか１項に記載の無線ＬＡＮシステム。
【請求項７】
グループ化手段は、
アクセスポイントから所定の距離に境界を設定し、
複数のクライアント端末を、前記境界よりも前記アクセスポイントに近い位置にあるクライアント端末のグループと、前記境界よりも前記アクセスポイントに近くない位置にあるクライアント端末のグループとに分ける
請求項６記載の無線ＬＡＮシステム。
【請求項８】
クライアント端末およびアクセスポイントの位置を管理するための位置管理情報を記憶する位置管理情報記憶手段と、
端末位置情報およびアクセスポイント位置情報にもとづいて、前記位置管理情報記憶手段が記憶する位置管理情報を更新する位置管理情報更新手段とを備えた
請求項１から請求項７のうちのいずれか１項に記載の無線ＬＡＮシステム。
【請求項９】
アクセスポイントにアクセス可能な管理者端末を備え、
前記管理者端末は、位置管理情報記憶手段が記憶する位置管理情報にもとづいて、クライアント端末およびアクセスポイントの位置を図示した表示画面を表示する
請求項８記載の無線ＬＡＮシステム。
【請求項１０】
無線ＬＡＮのアクセスポイント、およびアクセスポイントと無線通信を行うクライアント端末の送信電力を制御する送信電力制御方法であって、
前記クライアント端末の位置を示す端末位置情報を求めるステップと、
前記アクセスポイントの位置を示すアクセスポイント位置情報を求めるステップと、
前記求めた端末位置情報とアクセスポイント位置情報とにもとづいて、送信電力値を決定するステップと、
前記決定した送信電力値にもとづいて、前記クライアント端末および前記アクセスポイントの送信電力を制御するステップとを含む
ことを特徴とする送信電力制御方法。
【請求項１１】
無線ＬＡＮのアクセスポイント、およびアクセスポイントと無線通信を行うクライアント端末の位置を管理する位置管理方法であって、
前記クライアント端末および前記アクセスポイントの位置を管理するための位置管理情報を記憶するステップと、
前記クライアント端末の位置を示す端末位置情報を求めるステップと、
前記アクセスポイントの位置を示すアクセスポイント位置情報を求めるステップと、
前記求めた端末位置情報および前記アクセスポイント位置情報にもとづいて、前記記憶する位置管理情報を更新するステップと、
前記アクセスポイントにアクセス可能な管理者端末が、前記記憶する位置管理情報にもとづいて、前記クライアント端末および前記アクセスポイントの位置を図示した表示画面を表示するステップとを含む
ことを特徴とする位置管理方法。
【請求項１２】
無線ＬＡＮのアクセスポイント、およびアクセスポイントと無線通信を行うクライアント端末の送信電力を制御するための送信電力制御プログラムであって、
コンピュータに、
前記クライアント端末から、当該クライアント端末の位置を示す端末位置情報を受信する処理と、
前記アクセスポイントの位置を示すアクセスポイント位置情報を求める処理と、
前記クライアント端末から受信した端末位置情報と前記求めたアクセスポイント位置情報とにもとづいて、送信電力値を決定する処理と、
前記決定した送信電力値にもとづいて、前記クライアント端末および前記アクセスポイントの送信電力を制御する処理とを
実行させるための送信電力制御プログラム。
【発明の詳細な説明】
【技術分野】
【０００１】
本発明は、無線ＬＡＮのアクセスポイントおよびクライアント端末の送信電力（出力パワー）を制御する無線ＬＡＮシステム、送信電力制御方法および送信電力制御プログラムに関する。また、本発明は、無線ＬＡＮのアクセスポイントおよびクライアント端末の位置を管理する位置管理方法に関する。
【背景技術】
【０００２】
図９は、無線ＬＡＮシステムの概念を示す説明図である。図９に示すように、無線ＬＡＮシステムでは、ユーザによって使用される各クライアント端末９３０は、無線ＬＡＮのアクセスポイント９２０と無線信号を送受信する。
【０００３】
また、特許文献１には、ＧＰＳを用いた移動局の地理的情報を利用して、移動局の送信モジュールや基地局の送信機の送信電力制御を行える通信システムが記載されている。また、特許文献２には、ＧＰＳを用いた自端末と基地局との距離の測定結果にもとづいて受信レベルの検出間隔を変更することによって、消費電力の削減を行う移動通信端末装置が記載されている。
【０００４】
【特許文献１】特表２００１−５２６８４５号公報（１１頁、図３−５）
【特許文献２】特開２００３−１６３６２７号公報（段落００１１−００２３、図１−２）
【発明の開示】
【発明が解決しようとする課題】
【０００５】
図９に示す無線ＬＡＮシステムでは、アクセスポイント９２０およびクライアント端末９３０は、送信電力を自動調節することができない。そのため、アクセスポイント９２０およびクライアント端末９３０は、無線信号を送信するために過度に電力を消費することがある。また、アクセスポイント９２０への不正アクセスを検出することができず、無線ＬＡＮを用いた通信の安全を確保できないことがある。
【０００６】
また、無線ＬＡＮアクセスポイント２０のパケット処理の負荷分散を行うために、無線チャネル（無線周波数）を２つ用いてクライアント端末９３０をグループ化することが考えられる。しかし、同じＳＳＩＤ（Service Set Identity）を用いると、クライアント端末９３０は受信強度の大きい方の無線チャネルの信号を受信してしまうので、クライアント端末９３０のグループ化をうまく行えないことがある。
【０００７】
特許文献１に記載された通信システムでは、移動局の地理的情報を用いて、基地局および移動局の送信電力を自動調節することができる。しかし、無線ＬＡＮシステムでは、アクセスポイント９２０が小型および軽量であるので、クライアント端末９３０が移動されるだけでなくアクセスポイント９２０自体が移動されやすい。そのため、特許文献１に記載された通信システムを無線ＬＡＮに適用したとしても、クライアント端末９３０の地理的情報を用いるだけでは、アクセスポイント９２０およびクライアント端末９３０の送信電力を適切に制御できるとは限らない。
【０００８】
また、特許文献２に記載された移動通信端末装置は、受信レベルの検出間隔を制御しているにすぎず、移動通信端末装置および基地局の送信電力を制御することはできない。
【０００９】
そこで、本発明は、アクセスポイントおよびクライアント端末の送信電力を適切に制御することができ、アクセスポイントおよびクライアント端末の消費電力を低減できる無線ＬＡＮシステム、送信電力制御方法および送信電力制御プログラムを提供することを目的とする。また、本発明は、無線ＬＡＮのアクセスポイントへの不正アクセスがあるか否かを把握できる位置管理方法を提供することを目的とする。
【課題を解決するための手段】
【００１０】
本発明による無線ＬＡＮシステムは、クライアント端末の位置を示す端末位置情報を求める端末位置算出手段と、無線ＬＡＮのアクセスポイントの位置を示すアクセスポイント位置情報を求めるアクセスポイント位置算出手段と、端末位置算出手段が求めた端末位置情報とアクセスポイント位置算出手段が求めたアクセスポイント位置情報とにもとづいて、送信電力値を決定する送信電力決定手段と、送信電力決定手段が決定した送信電力値にもとづいて、クライアント端末およびアクセスポイントの送信電力を制御する送信電力制御手段とを備えたことを特徴とする。
【００１１】
また、無線ＬＡＮシステムは、クライアント端末と無線通信を行う無線ＬＡＮのアクセスポイントを備えた無線ＬＡＮシステムにおいて、クライアント端末は、クライアント端末の位置を示す端末位置情報を求める端末位置算出手段と、端末位置算出手段が求めた端末位置情報をアクセスポイントに送信する端末情報送信手段とを含み、アクセスポイントは、アクセスポイントの位置を示すアクセスポイント位置情報を求めるアクセスポイント位置算出手段と、クライアント端末から受信した端末位置情報とアクセスポイント位置算出手段が求めたアクセスポイント位置情報とにもとづいて、送信電力値を決定する送信電力決定手段と、送信電力決定手段が決定した送信電力値にもとづいて、クライアント端末およびアクセスポイントの送信電力を制御する送信電力制御手段とを含むものであってもよい。
【００１２】
また、送信電力決定手段は、端末位置情報とアクセスポイント位置情報とにもとづいて、アクセスポイントの送信電力値を決定し、送信電力制御手段は、送信電力決定手段が決定した送信電力値にもとづいて、アクセスポイントの送信電力を変更するものであってもよい。
【００１３】
また、送信電力決定手段は、端末位置情報とアクセスポイント位置情報とにもとづいて、クライアント端末の送信電力値を決定し、送信電力制御手段は、送信電力決定手段が決定した送信電力値を含む電力値情報（出力パワー情報）をクライアント端末に送信し、クライアント端末は、送信電力制御手段から受信した電力値情報にもとづいて、クライアント端末の送信電力を変更するものであってもよい。
【００１４】
また、送信電力決定手段は、アクセスポイントからのクライアント端末の距離を示す端末距離と送信電力値とを対応付けた対応テーブルを有し、端末位置情報とアクセスポイント位置情報とにもとづいて端末距離を求め、対応テーブルと求めた端末距離とにもとづいて送信電力値を決定するものであってもよい。
【００１５】
また、複数のクライアント端末をグループに分けるグループ化手段を備え、送信電力決定手段は、グループ化手段が分けたグループごとに送信電力値を決定するものであってもよい。そのような構成によれば、アクセスポイントのパケット処理の負荷を分散することができる。
【００１６】
また、グループ化手段は、アクセスポイントから所定の距離に境界を設定し、複数のクライアント端末を、境界よりもアクセスポイントに近い位置にあるクライアント端末のグループと、境界よりもアクセスポイントに近くない位置にあるクライアント端末のグループとに分けるものであってもよい。
【００１７】
また、無線ＬＡＮシステムは、クライアント端末およびアクセスポイントの位置を管理するための位置管理情報を記憶する位置管理情報記憶手段と、端末位置情報およびアクセスポイント位置情報にもとづいて、位置管理情報記憶手段が記憶する位置管理情報を更新する位置管理情報更新手段とを備えたものであってもよい。そのような構成によれば、アクセスポイントが位置管理情報を一括管理することによって、アクセスポイントへの不正アクセスがあるか否かを把握することができる。なお、クライアント端末およびアクセスポイントの位置を管理するとは、例えば、クライアント端末およびアクセスポイントの位置情報などを含む位置管理情報を記憶し随時更新することをいう。
【００１８】
また、無線ＬＡＮシステムは、アクセスポイントにアクセス可能な管理者端末を備え、管理者端末は、位置管理情報記憶手段が記憶する位置管理情報にもとづいて、クライアント端末およびアクセスポイントの位置を図示した表示画面を表示するものであってもよい。そのような構成によれば、アクセスポイントおよびクライアント端末を管理する管理者が、アクセスポイントへの不正アクセスがあるか否かを把握することができる。
【００１９】
本発明による送信電力制御方法は、無線ＬＡＮのアクセスポイント、およびアクセスポイントと無線通信を行うクライアント端末の送信電力を制御する送信電力制御方法であって、クライアント端末の位置を示す端末位置情報を求めるステップと、アクセスポイントの位置を示すアクセスポイント位置情報を求めるステップと、求めた端末位置情報とアクセスポイント位置情報とにもとづいて、送信電力値を決定するステップと、決定した送信電力値にもとづいて、クライアント端末およびアクセスポイントの送信電力を制御するステップとを含むことを特徴とする。
【００２０】
本発明による位置管理方法は、無線ＬＡＮのアクセスポイント、およびアクセスポイントと無線通信を行うクライアント端末の位置を管理する位置管理方法であって、クライアント端末およびアクセスポイントの位置を管理するための位置管理情報を記憶するステップと、クライアント端末の位置を示す端末位置情報を求めるステップと、アクセスポイントの位置を示すアクセスポイント位置情報を求めるステップと、求めた端末位置情報およびアクセスポイント位置情報にもとづいて、記憶する位置管理情報を更新するステップと、アクセスポイントにアクセス可能な管理者端末が、記憶する位置管理情報にもとづいて、クライアント端末およびアクセスポイントの位置を図示した表示画面を表示するステップとを含むことを特徴とする。
【００２１】
本発明による送信電力制御プログラムは、無線ＬＡＮのアクセスポイント、およびアクセスポイントと無線通信を行うクライアント端末の送信電力を制御するための送信電力制御プログラムであって、コンピュータに、クライアント端末から、クライアント端末の位置を示す端末位置情報を受信する処理と、アクセスポイントの位置を示すアクセスポイント位置情報を求める処理と、クライアント端末から受信した端末位置情報と求めたアクセスポイント位置情報とにもとづいて、送信電力値を決定する処理と、決定した送信電力値にもとづいて、クライアント端末およびアクセスポイントの送信電力を制御する処理とを実行させることを特徴とする。
【発明の効果】
【００２２】
本発明によれば、アクセスポイントおよびクライアント端末の位置情報にもとづいて、送信電力値を決定する。そして、決定した送信電力値にもとづいて、アクセスポイントおよびクライアント端末の送信電力を制御する。従って、アクセスポイントおよびクライアント端末の送信電力を適切に制御することができ、アクセスポイントおよびクライアント端末の消費電力を低減することができる。
【発明を実施するための最良の形態】
【００２３】
以下、本発明の実施の形態を図面を参照して説明する。まず、本発明による送信電力制御方法および位置管理方法の適用概念を説明する。
【００２４】
図１は、本発明による送信電力制御方法および位置管理方法を適用した無線ＬＡＮシステムの概念を示す説明図である。図１に示すように、無線ＬＡＮシステムは、アクセスポイント（以下、無線ＬＡＮアクセスポイントという）２０、およびクライアント端末（以下、無線ＬＡＮクライアントという）３０ａ，３０ｂを含む。以下、無線ＬＡＮクライアント３０ａ，３０ｂを包括的に表現する場合、または、いずれかの無線ＬＡＮクライアントを指す場合に、単に無線ＬＡＮクライアント３０という。また、本実施の形態では、無線ＬＡＮアクセスポイント２０および無線ＬＡＮクライアント３０を包括的に表現する場合、無線ＬＡＮ装置という。
【００２５】
本実施の形態では、各無線ＬＡＮ装置２０，３０は、ＧＰＳ装置を搭載し、ＧＰＳ衛星１０からＧＰＳ信号を受信し位置情報を求める。無線ＬＡＮアクセスポイント２０は、各無線ＬＡＮ装置２０，３０が求めた位置情報にもとづいて、無線ＬＡＮ装置２０，３０の送信電力値を決定する。そして、無線ＬＡＮアクセスポイント２０は、決定した送信電力値にもとづいて、各無線ＬＡＮ装置２０，３０の送信電力を制御する。なお、本実施の形態では、無線ＬＡＮアクセスポイント２０が求める無線ＬＡＮアクセスポイント２０の位置を示す位置情報をアクセスポイント位置情報という。また、無線ＬＡＮクライアント３０が求める無線ＬＡＮクライアント３０の位置を示す位置情報を端末位置情報という。
【００２６】
また、無線ＬＡＮアクセスポイント２０は、各無線ＬＡＮ装置２０，３０の位置を管理するための位置管理情報を記憶するデータベースを備える。無線ＬＡＮアクセスポイント２０は、アクセスポイント位置情報および端末位置情報にもとづいて、データベースが記憶する位置管理情報を随時更新することによって、各無線ＬＡＮ装置２０，３０の位置を一括して管理する。
【００２７】
また、本実施の形態では、無線ＬＡＮクライアント３０のいずれかのユーザが、各無線ＬＡＮ装置２０，３０を管理する。以下、無線ＬＡＮクライアント３０のユーザのうち、無線ＬＡＮ装置２０，３０を管理するユーザを単に管理者という。また、管理者が使用する無線ＬＡＮクライアント３０を管理者端末という。本実施の形態では、管理者は、管理者端末を操作して、無線ＬＡＮアクセスポイント２０が管理する位置管理情報にもとづいいて、各無線ＬＡＮ装置２０，３０の位置をブラウザなどを用いて参照することができる。
【００２８】
また、本実施の形態では、２つの無線チャネル（無線周波数）を用いて無線ＬＡＮクライアント３０をグループ化することができる。本実施の形態では、管理者は、管理者端末を操作して、無線ＬＡＮアクセスポイント２０から所定の距離に無線チャネルを切り替える境界（以下、チャネル変更ラインという）５０を設定することができる。そして、無線ＬＡＮクライアント３０を、無線ＬＡＮアクセスポイント２０に対してチャネル変更ライン５０より外側にある無線ＬＡＮクライアント３０ａと、チャネル変更ライン５０より内側にある無線ＬＡＮクライアント３０ｂとにグループ化することができる。
【００２９】
本実施の形態では、無線ＬＡＮアクセスポイント２０に対してチャネル変更ライン５０より外側の領域を遠方チャネル範囲といい、チャネル変更ライン５０より内側の領域を近傍チャネル範囲という。また、遠方チャネル範囲で用いる無線チャネルを遠方チャネルといい、近傍チャネル範囲で用いる無線チャネルを近傍チャネルという。また、遠方チャネル範囲にグループ化された無線ＬＡＮクライアント３０ａを遠方クライアントといい、近傍チャネル範囲にグループ化された無線ＬＡＮクライアント３０ｂを近傍クライアントという。なお、本実施の形態では、無線ＬＡＮクライアント３０のグループ化を行わずに、１つの無線チャネルだけを用いることも可能である。
【００３０】
次に、構成について説明する。図２は、無線ＬＡＮシステムの構成の一例を示すブロック図である。
【００３１】
無線ＬＡＮアクセスポイント２０は、図２に示すように、ＧＰＳ受信部２１、位置情報データベース２２、位置管理部２３、出力制御部２４，２５、パケット処理部２６，２７およびトランシーバ２８，２９を含む。
【００３２】
ＧＰＳ受信部２１は、具体的には、無線ＬＡＮアクセスポイント２０が搭載するＧＰＳ装置である。ＧＰＳ受信部２１は、ＧＰＳ衛星１０からＧＰＳ信号を受信し、受信したＧＰＳ信号にもとづいてアクセスポイント位置情報を求める機能を備える。
【００３３】
位置情報データベース２２は、具体的には、無線ＬＡＮアクセスポイント２０の記憶装置によって実現される。位置情報データベース２２は、位置管理情報を記憶する。図３は、位置情報データベース２２が記憶する情報の例を示す説明図である。図３に示すように、位置情報データベース２２は、位置管理情報として、無線ＬＡＮ装置名３０１と、無線ＬＡＮ装置の位置情報３０２と、端末距離３０３と、端末方位３０４と、使用チャネル情報３０５と、更新時刻３０６とを対応付けて記憶する。
【００３４】
無線ＬＡＮ装置名３０１は、各無線ＬＡＮ装置２０，３０の名前や識別情報である。本実施の形態では、図３に示すように、位置情報データベース２２は、無線ＬＡＮアクセスポイント２０について無線ＬＡＮ装置名３０１「ＡＰ」を記憶し、無線ＬＡＮクライアント３０について無線ＬＡＮ装置名３０１「ＣＬ１」，「ＣＬ２」，・・・を記憶する。位置情報３０２は、各無線ＬＡＮ装置２０，３０の緯度および経度である。端末距離３０３は、無線ＬＡＮクライアント３０の無線ＬＡＮアクセスポイント２０からの距離である。端末方位３０４は、無線ＬＡＮアクセスポイント２０に対する無線ＬＡＮクライアント３０の方位である。例えば、位置情報データベース２２は、方位が南の場合に端末方位「Ｓ」を記憶する。
【００３５】
使用チャネル情報３０５は、無線ＬＡＮクライアント３０が使用する無線チャネルを特定する情報である。本実施の形態では、位置情報データベース２２は、遠方チャネルを使用する場合に使用チャネル情報３０５「９」を記憶し、近傍チャネルを使用する場合に使用チャネル情報３０５「５」を記憶する。更新時刻３０６は、無線ＬＡＮ装置２０，３０の位置情報を更新した時刻である。
【００３６】
位置管理部２３は、具体的には、プログラムに従って動作する無線ＬＡＮアクセスポイント２０のＣＰＵによって実現される。位置管理部２３は、位置情報３０２が更新されると、位置情報データベース２２が記憶する位置管理情報を更新する。本実施の形態では、位置管理部２３は、無線ＬＡＮアクセスポイント２０および無線ＬＡＮクライアント３０の位置情報３０２にもとづいて端末距離および端末方位を求め、位置情報データベース２２の端末距離３０３および端末方位３０４を更新する。
【００３７】
本実施の形態では、位置情報データベース２２が位置管理情報を記憶し位置管理部２３が位置管理情報を随時更新することによって、無線ＬＡＮアクセスポイント２０は、無線ＬＡＮ装置２０，３０の位置を管理する。
【００３８】
出力制御部２４，２５は、具体的には、プログラムに従って動作する無線ＬＡＮアクセスポイント２０のＣＰＵおよび記憶装置によって実現される。出力制御部２４，２５は、端末距離３０３にもとづいて、無線ＬＡＮクライアント３０の送信電力値を決定する機能を備える。例えば、出力制御部２４，２５は、端末距離３０３と無線ＬＡＮクライアント３０の送信電力値との対応関係を示す対応テーブルを予め記憶している。そして、出力制御部２４，２５は、端末距離３０３と対応テーブルとにもとづいて無線ＬＡＮクライアント３０の送信電力値を求める。また、出力制御部２４，２５は、決定した送信電力値を含む情報（以下、出力パワー情報という）をパケット処理部２６，２７に出力する機能を備える。
【００３９】
また、出力制御部２４，２５は、端末距離３０３にもとづいてトランシーバ２８，２９の送信電力値を決定する機能を備える。例えば、出力制御部２４，２５は、端末距離３０３とトランシーバ２８，２９の送信電力値との対応関係を示す対応テーブルを予め記憶する。そして、出力制御部２４，２５は、端末距離３０３と対応テーブルとにもとづいてトランシーバ２８，２９の送信電力値を求める。また、出力制御部２４，２５は、決定した送信電力値にもとづいて、トランシーバ２８，２９の送信電力を変更する機能を備える。
【００４０】
本実施の形態では、出力制御部２４，２５は、決定した送信電力値にもとづいて送信電力を変更することによって、トランシーバ２８，２９の送信電力を制御する。また、出力制御部２４，２５は、後述するように無線ＬＡＮクライアント３０に出力パワー情報にもとづいて送信電力を変更させることによって、無線ＬＡＮクライアント３０の送信電力を制御する。
【００４１】
パケット処理部２６，２７は、無線ＬＡＮアクセスポイント２０が送受信するデータのパケット処理を行う機能を備える。パケット処理部２６，２７は、出力制御部２４，２５からの出力パワー情報をトランシーバ２８，２９に出力する。また、パケット処理部２６，２７は、トランシーバ２８，２９が受信した端末位置情報を、位置情報データベース２２に位置情報３０２として記憶させる。
【００４２】
トランシーバ２８，２９は、具体的には、無線ＬＡＮアクセスポイント２０の無線送受信部である。トランシーバ２８，２９は、無線ＬＡＮクライアント３０と無線信号を送受信する機能を備える。
【００４３】
本実施の形態では、出力制御部２４、パケット処理部２６およびトランシーバ２８は、遠方クライアント３０ａの送信電力値を決定したり、遠方クライアント３０ａへのデータの送受信の処理を行うために用いられる。また、出力制御部２５、パケット処理部２７およびトランシーバ２９は、近傍クライアント３０ｂの送信電力値を決定したり、近傍クライアント３０ｂへのデータの送受信の処理を行うために用いられる。なお、本実施の形態では、無線ＬＡＮクライアント３０のグループ化を行わず１つの無線チャネルだけを用いる場合、出力制御部２４、パケット処理部２６およびトランシーバ２８だけが用いられる。
【００４４】
無線ＬＡＮクライアント３０は、パーソナルコンピュータなどの情報処理端末や、ＩＰ電話サービスを利用して通信を行う電話機などである。図２に示すように、無線ＬＡＮクライアント３０は、ＧＰＳ受信部３１、出力制御部３２、パケット処理部３３およびトランシーバ３４を含む。例えば、パーソナルコンピュータである無線ＬＡＮクライアント３０は、無線ＬＡＮに接続するための無線ＬＡＮ接続装置（無線ＬＡＮカードなど）を搭載する。そして、無線ＬＡＮ接続装置は、ＧＰＳ受信部３１、出力制御部３２、パケット処理部３３およびトランシーバ３４を含む。
【００４５】
ＧＰＳ受信部３１は、具体的には、無線ＬＡＮ接続装置に含まれるＧＰＳ装置である。ＧＰＳ受信部３１は、ＧＰＳ衛星１０からＧＰＳ信号を受信し、受信したＧＰＳ信号にもとづいて端末位置情報を求める機能を備える。
【００４６】
出力制御部３２は、具体的には、プログラムに従って動作する無線ＬＡＮ接続装置のＣＰＵによって実現される。出力制御部３２は、トランシーバ３４の送信電力値を調節する機能を備える。本実施の形態では、出力制御部３２は、出力パワー情報に含まれる送信電力値にもとづいてトランシーバ３４の送信電力を変更する。
【００４７】
パケット処理部３３は、無線ＬＡＮクライアント３０が送受信するデータのパケット処理を行う機能を備える。パケット処理部３３は、ＧＰＳ受信部３１が求めた端末位置情報をトランシーバ３４に出力する。また、パケット処理部３３は、トランシーバ３４が受信した出力パワー情報を出力制御部３２に出力する。
【００４８】
トランシーバ３４は、具体的には、無線ＬＡＮ接続装置の無線送受信部である。トランシーバ３４は、無線ＬＡＮアクセスポイント２０と無線信号を送受信する機能を備える。
【００４９】
なお、図２では、無線ＬＡＮクライアント３０として１つの遠方クライアント３０ａおよび１つの近傍クライアント３０ｂを示しているが、無線ＬＡＮシステムは、複数の遠方クライアント３０ａおよび複数の近傍クライアント３０ｂを含む。
【００５０】
本実施の形態において、端末位置算出手段は、ＧＰＳ受信部３１によって実現される。アクセスポイント位置算出手段は、ＧＰＳ受信部２１によって実現される。送信電力決定手段は、出力制御部２４，２５および位置管理部２３によって実現される。送信電力制御手段は、出力制御部２４，２５、パケット処理部２６，２７およびトランシーバ２８，２９によって実現される。端末情報送信手段は、パケット処理部３３およびトランシーバ３４によって実現される。グループ化手段は、管理者端末および位置管理部２３によって実現される。位置管理情報記憶手段は、位置情報データベース２２によって実現される。位置情報更新手段は、位置管理部２３によって実現される。
【００５１】
また、本実施の形態において、無線ＬＡＮアクセスポイント２０の記憶装置は、各無線ＬＡＮ装置２０，３０の送信電力を制御するための各種プログラムを記憶している。例えば、無線ＬＡＮアクセスポイント２０の記憶装置は、コンピュータに、クライアント端末から、クライアント端末の位置を示す端末位置情報を受信する処理と、アクセスポイントの位置を示すアクセスポイント位置情報を求める処理と、クライアント端末から受信した端末位置情報と求めたアクセスポイント位置情報とにもとづいて、送信電力値を決定する処理と、決定した送信電力値にもとづいて、クライアント端末およびアクセスポイントの送信電力を制御する処理とを実行させるための送信電力制御プログラムを記憶している。
【００５２】
次に、動作について説明する。図４は、各無線ＬＡＮ装置２０，３０の位置情報を取得して位置管理情報を更新する処理と、各無線ＬＡＮ装置２０，３０の送信電力を制御する処理の一例を示す流れ図である。
【００５３】
各無線ＬＡＮ装置２０，３０は、予め定められた所定の時間間隔でＧＰＳ信号を受信し位置情報を求める（ステップＳ１０１）。無線ＬＡＮクライアント３０は、求めた端末位置情報を無線ＬＡＮアクセスポイント２０に送信する（ステップＳ１０２）。無線ＬＡＮアクセスポイント２０は、無線ＬＡＮクライアント３０から端末位置情報を受信する（ステップＳ１０３）。無線ＬＡＮアクセスポイント２０は、各無線ＬＡＮ装置２０，３０の位置情報を位置情報データベース２２に記憶する（ステップＳ１０４）。
【００５４】
具体的には、ＧＰＳ受信部２１は、アクセスポイント位置情報を求め、位置情報データベース２２が記憶する無線ＬＡＮアクセスポイント２０の位置情報３０２を更新させる。また、パケット処理部２６，２７は、トランシーバ２８，２９が受信した端末位置情報にもとづいて、位置情報データベース２２が記憶する無線ＬＡＮクライアント３０の位置情報３０２を更新させる。また、位置管理部２３は、更新後の位置情報３０２にもとづいて端末距離および端末方位を求め、位置情報データベース２２が記憶する端末距離３０３および端末方位０３４を更新させる。
【００５５】
以上のように、ステップＳ１０１からステップＳ１０４までの処理が繰り返し実行されることによって、位置情報データベース２２が記憶する位置管理情報が随時更新される。なお、無線ＬＡＮアクセスポイント２０については、無線ＬＡＮクライアント３０と比較して移動される場合が少ないと考えられる。従って、無線ＬＡＮクライアント３０よりも長い時間間隔で無線ＬＡＮアクセスポイント２０の位置情報を更新するようにしてもよい。
【００５６】
次に、各無線ＬＡＮ装置２０，３０の送信電力制御を行う動作を説明する。管理者端末は、管理者によって送信電力制御の実行指示が入力されると、無線ＬＡＮ装置２０，３０の送信電力制御の処理を開始する。管理者は、管理者端末を操作して、２つの無線チャネルを用いて無線ＬＡＮクライアント３０をグループ化するか、グループ化せずに１つの無線チャネルだけを用いるか選択指示を入力する。管理者端末は、管理者によって、２つの無線チャネルを使用する旨の指示が入力されたか否かを判断する（ステップＳ１０５）。
【００５７】
まず、２つの無線チャネルを用いて無線ＬＡＮクライアント３０をグループ化して送信電力の制御を行う場合を説明する。図５は、無線ＬＡＮクライアント３０をグループ化して送信電力の制御を行う場合の概念を示す説明図である。図５に示すように、本例では、チャネル変更ライン５０の外側に存在する遠方クライアント３０ａのグループと、チャネル変更ライン５０の内側に存在する近傍クライアント３０ｂのグループとに分けて送信電力を制御する。
【００５８】
ステップＳ１０５で２つの無線チャネルを使用する旨の指示が入力されたと判断すると、管理者端末は、チャネル変更ライン５０の設定画面を表示して、管理者にチャネル変更ライン５０の設定値の入力を促す。管理者によって設定値が入力されると、管理者端末は、入力された設定値に従ってチャネル変更ライン５０を決定する（ステップＳ１０６）。本実施の形態では、管理者端末が、無線ＬＡＮアクセスポイント２０から５メートルにチャネル変更ライン５０に決定する場合を説明する。また、管理者端末は、決定したチャネル変更ライン５０の情報を無線ＬＡＮアクセスポイント２０に送信し、無線ＬＡＮアクセスポイント２０に送信電力制御の実行を促す。
【００５９】
位置管理部２３は、位置情報データベース２２の端末距離３０３にもとづいて、無線ＬＡＮクライアント３０がチャネル変更ライン５０の内側に位置するか否かを判断する（ステップＳ１０７）。チャネル変更ライン５０の内側でないと判断すると、位置管理部２３は、無線ＬＡＮクライアント３０が使用する無線チャネルを遠方チャネルに決定する（ステップＳ１０８）。また、チャネル変更ライン５０の内側に位置すると判断すると、位置管理部２３は、無線ＬＡＮクライアント３０が使用する無線チャネルを近傍チャネルに決定する（ステップＳ１０９）。なお、位置管理部２３は、無線ＬＡＮシステムに含まれる全ての無線ＬＡＮクライアント３０についてステップＳ１０７からステップＳ１０９までの処理を実行する。
【００６０】
例えば、図３に示す例では、無線ＬＡＮクライアント「ＣＬ１」，「ＣＬ２」，「ＣＬ４」の端末距離がチャネル変更ライン５０「５ｍ」より小さいので、位置管理部２３は、近傍チャネルに決定する。また、無線ＬＡＮクライアント「ＣＬ３」，「ＣＬ５」の端末距離がチャネル変更ライン５０「５ｍ」より大きいので、位置管理部２３は、遠方チャネルに決定する。
【００６１】
位置管理部２３は、決定した無線チャネルの情報を、使用チャネル情報３０５として位置情報データベース２２に記憶させる（ステップＳ１１０）。すなわち、位置管理部２３は、無線ＬＡＮクライアント３０を、遠方クライアント３０ａと近傍クライアント３０ｂとにグループ化する。
【００６２】
位置管理部２３は、出力制御部２４，２５に送信電力制御の実行を指示する。出力制御部２４，２５は、位置管理部２３の指示に従って、各無線ＬＡＮ装置２０，３０の送信電力制御の処理を実行する（ステップＳ１１１）。
【００６３】
ステップＳ１１１において、位置管理部２３は、全ての遠方クライアント３０ａの端末距離３０３を位置情報データベース２２から抽出し、出力制御部２４に出力する。すると、出力制御部２４は、各遠方クライアント３０ａの送信電力値を決定する。この場合、出力制御部２４は、遠方クライアント３０ａが送信した無線信号を無線ＬＡＮアクセスポイント２０が受信できるレベルであって過度に大きなレベルでない最適値に、送信電力値を決定する。そして、出力制御部２４は、決定した送信電力値を含む出力パワー情報をパケット処理部２６に出力する。
【００６４】
また、出力制御部２４は、トランシーバ２８の送信電力値を決定する。この場合、出力制御部２４は、端末距離３０３にもとづいて、遠方クライアント３０ａのうち、無線ＬＡＮアクセスポイント２０から最も遠い遠方クライアント３０ａ（以下、最遠クライアントという）を特定する。また、出力制御部２４は、無線ＬＡＮアクセスポイント２０が送信した無線信号を最遠クライアントが受信できるレベルであって過度に大きなレベルでない最適値に、送信電力値を決定する。そして、出力制御部２４は、決定した送信電力値にもとづいてトランシーバ２８の送信電力を変更する。
【００６５】
また、ステップＳ１１１において、位置管理部２３は、全ての近傍クライアント３０ｂの端末距離３０３を位置情報データベース２２から抽出し、出力制御部２５に出力する。すると、出力制御部２５は、出力制御部２４と同様の処理によって各近傍クライアント３０ｂの送信電力値を決定する。そして、出力制御部２５は、決定した送信電力値を含む出力パワー情報をパケット処理部２７に出力する。
【００６６】
また、出力制御部２５は、出力制御部２４と同様の処理によってトランシーバ２９の送信電力値を決定する。そして、出力制御部２４は、決定した送信電力値にもとづいてトランシーバ２９の送信電力を変更する。無線ＬＡＮアクセスポイント２０は、出力パワー情報を無線ＬＡＮクライアント３０に送信する。無線ＬＡＮクライアント３０は、受信した出力パワー情報にもとづいてトランシーバ３４の送信電力を変更する。
【００６７】
以上のように、ステップＳ１０５からステップＳ１１１までの処理が実行されることによって、各無線ＬＡＮ装置２０，３０の送信電力値を最適化することができる。また、２つの無線チャネルを用いて無線ＬＡＮクライアント３０をグループ化することができるので、無線ＬＡＮアクセスポイント２０のパケット処理の負荷分散をすることができる。また、遠方クライアント３０ａと近傍クライアント３０ｂとに無線ＬＡＮクライアント３０をグループ化することができる。端末距離が小さいほど送信電力が小さくて済むので、無線ＬＡＮアクセスポイント２０は、遠方クライアント３０ａへの送信電力値と比較して、近傍クライアント３０ｂへの送信電力値を小さくすることができる。そのため、無線ＬＡＮクライアント３０をグループ化するときの無線ＬＡＮアクセスポイント２０の消費電力を低減することができる。
【００６８】
なお、ステップＳ１０３において、無線ＬＡＮアクセスポイント２０は、端末位置情報を受信するとともに、受信強度を検出するようにしてもよい。例えば、無線ＬＡＮアクセスポイント２０に近くても、遮蔽物などによって無線ＬＡＮクライアント３０に電波が届きにくい場合がある。この場合、ステップＳ１０７において、位置管理部２３は、無線ＬＡＮクライアント３０がチャネル変更ライン５０の内側に位置するか否かを判断するとともに、受信強度が予め定められた所定レベルより大きいか否かを判断する。そして、チャネル変更ライン５０の内側に位置する場合であっても、受信電界強度が予め定められた所定レベルより大きくないと判断すると、位置管理部２３は、無線ＬＡＮクライアント３０が使用する無線チャネルを、送信電力値の大きい遠方チャネルに決定する。そのようにすれば、電波の届きにくい位置にある無線ＬＡＮクライアント３０の送信電力を適切に制御することができる。
【００６９】
また、ステップＳ１０６において、無線ＬＡＮアクセスポイント２０が自動的にチャネル変更ライン５０を決定するようにしてもよい。この場合、ステップＳ１０５で２つの無線チャネルを使用する旨の指示が入力されたと判断すると、管理者端末は、送信電力の制御の実行指示を無線ＬＡＮアクセスポイント２０に送信する。そして、位置管理部２３は、例えば、位置情報データベース２２が記憶する端末距離３０３にもとづいて、遠方クライアント３０ａと近傍クライアント３０ｂとの数が同数となるように、チャネル変更ライン５０を決定する。
【００７０】
無線ＬＡＮアクセスポイント２０は、予め定められた所定の時間間隔ごとに、接続を確認するための確認パケットを各無線ＬＡＮクライアント３０に随時送信している（ステップＳ１１２）。各無線ＬＡＮクライアント３０は、無線ＬＡＮアクセスポイント２０から確認パケットを受信すると、無線ＬＡＮアクセスポイント２０に応答パケットを送信する。
【００７１】
無線ＬＡＮアクセスポイント２０は、無線ＬＡＮアクセスポイント２０と無線ＬＡＮクライアント３０との間でパケットのドロップが発生したか否かを判断する（ステップＳ１１３）。例えば、無線ＬＡＮアクセスポイント２０は、無線ＬＡＮクライアント３０から応答パケットを受信した場合にドロップが発生していないと判断し、応答パケットを受信しなかった場合にドロップが発生したと判断する。
【００７２】
ステップＳ１１３でドロップが発生したと判断すると、無線ＬＡＮアクセスポイント２０は、再びステップＳ１１１の処理を実行し、無線ＬＡＮ装置２０，３０の送信電力の最適化を行う。そのようにすることによって、無線ＬＡＮ装置２０，３０が移動された場合に、リアルタイムに送信電力を制御することができる。
【００７３】
次に、１つの無線チャネルだけを用いて送信電力の制御を行う場合を説明する。図６は、１つの無線チャネルだけを用いて送信電力の制御を行う場合の概念を示す説明図である。図６に示すように、本例では、無線ＬＡＮクライアント３０をグループ化せずに送信電力を制御する。
【００７４】
ステップＳ１０５で１つの無線チャネルだけを使用する旨の指示が入力されたと判断すると、管理者端末は、ステップＳ１０６を実行せずに、無線ＬＡＮアクセスポイント２０に送信電力制御の実行指示を送信する。
【００７５】
位置管理部２３は、無線チャネルの情報を位置情報データベース２２に記憶させる（ステップＳ１１０）。この場合、位置管理部２３は、全ての無線ＬＡＮクライアント３０についてチャネル情報３０５「９」を記憶させる。
【００７６】
位置管理部２３は、出力制御部２４に送信電力制御の実行を指示する。この場合、位置管理部２３は、出力制御部２４だけに送信電力制御の実行を指示する。出力制御部２４は、位置管理部２３の指示に従って、各無線ＬＡＮ装置２０，３０の送信電力制御の処理を実行する（ステップＳ１１１）。また、無線ＬＡＮクライアント３０は、無線ＬＡＮアクセスポイント２０からの出力パワー情報にもとづいて送信電力を変更する。なお、ステップＳ１１２以降の処理は、２つの無線チャネルを用いてグループ化を行う場合と同様である。
【００７７】
次に、各無線ＬＡＮ装置２０，３０の位置管理を行う場合の動作を説明する。図７は、各無線ＬＡＮ装置２０，３０の位置管理の適用概念を示す説明図である。本例では、各無線ＬＡＮ装置２０，３０の位置管理を行うことによって、ネットワークにアクセス権限のあるユーザになりすました不正なアクセスを監視する。以下、ネットワークへのアクセス権限のあるユーザになりすましてアクセスする端末４０を不正クライアントという。本実施の形態では、無線ＬＡＮアクセスポイント２０が各無線ＬＡＮ装置２０，３０の位置管理を一括して行うことによって、管理者は、不正クライアント４０からの不正アクセスを把握する。
【００７８】
管理者は、管理者端末を操作して、無線ＬＡＮ装置２０，３０の位置表示を指示入力する。管理者端末は、管理者によって指示入力されると、位置管理情報の送信要求を無線ＬＡＮアクセスポイント２０に送信する。すると、無線ＬＡＮアクセスポイント２０の位置管理部２３は、位置情報データベース２２から各無線ＬＡＮ装置２０，３０の位置管理情報を抽出し、抽出した位置管理情報を管理者端末に送信する。
【００７９】
管理者端末は、受信した位置管理情報にもとづいて、各無線ＬＡＮ装置２０，３０の位置の表示画面を表示する。例えば、管理者端末は、管理者端末が搭載するブラウザを用いて、各無線ＬＡＮ装置２０，３０の位置を図示した表示画面を表示する。
【００８０】
図８は、無線ＬＡＮ装置２０，３０の位置をブラウザを用いて表示した表示画面の例を示す説明図である。図８に示すように、管理者端末は、無線ＬＡＮアクセスポイント２０、遠方クライアント３０ａおよび近傍クライアント３０ｂの位置を図示した表示画面を表示する。例えば、図８に示すように、管理者端末は、無線ＬＡＮアクセスポイント２０の位置を画面中央に表示する。また、管理者端末は、位置管理情報に含まれる端末距離３０３および端末方位３０４にもとづいて、各無線ＬＡＮクライアント３０の位置を表示する。
【００８１】
また、図８に示すように、ユーザによって無線ＬＡＮクライアント３０の表示がマウスクリックなどされると、管理者端末は、無線ＬＡＮクライアント３０のＳＳＩＤ、接続先のアクセスポイント名、無線ＬＡＮクライアント３０のＩＰアドレス、送信電力値（出力パワー）および使用中の無線チャネルなどを表示する。例えば、無線ＬＡＮアクセスポイント２０は、各無線ＬＡＮクライアント３０のＳＳＩＤ、ＩＰアドレスおよび送信電力値をデータベースに記憶し、これらの情報を位置管理情報とともに管理者端末に送信する。そして、管理者端末は、無線ＬＡＮアクセスポイント２０から受信したＳＳＩＤ、ＩＰアドレスおよび送信電力値を表示する。また、管理者端末は、位置管理情報に含まれる使用チャネル情報３０５を表示する。なお、管理者端末は、無線ＬＡＮクライアント３０のユーザのユーザ名やアカウントなどを表示してもよい。
【００８２】
管理者は、ブラウザの表示画面で各無線ＬＡＮクライアント３０の位置を確認することによって、自分が管理している無線ＬＡＮクライアント３０以外の不正クライアント４０からのアクセスがないか否かを視覚的に確認することができる。また、アクセス中の無線ＬＡＮクライアント３０のＩＤ情報などを確認することによって、不正クライアント４０からのアクセスがないか否かを確認することができる。
【００８３】
なお、図４のステップＳ１０２において、無線ＬＡＮクライアント３０は、位置情報を暗号化および圧縮して送信するようにしてもよい。そのようにすれば、不正クライアント４０が不正に位置情報を無線ＬＡＮアクセスポイント２０に送信して無線ＬＡＮクライアント３０になりすますことを防止でき、位置管理の信頼性を高めることができる。
【００８４】
以上のように、本実施の形態によれば、無線ＬＡＮアクセスポイント２０は、各無線ＬＡＮ装置２０，３０の位置情報にもとづいて、各無線ＬＡＮ装置２０，３０の送信電力値を決定する。そして、無線ＬＡＮアクセスポイント２０は、決定した送信電力値にもとづいて、各無線ＬＡＮ装置２０，３０の送信電力を制御する。従って、無線ＬＡＮシステムにおいて、アクセスポイントおよびクライアント端末の送信電力を適切に制御することができ、アクセスポイントおよびクライアント端末の消費電力を低減することができる。
【００８５】
また、本実施の形態によれば、無線ＬＡＮアクセスポイント２０が位置管理情報を一括管理し、管理者が各無線ＬＡＮ装置２０，３０の位置を管理者端末を用いて確認することができる。従って、管理者が、無線ＬＡＮのアクセスポイントへの不正アクセスがあるか否かを把握することができる。
【００８６】
また、本実施の形態によれば、２つの無線チャネルを用いて無線ＬＡＮクライアント３０をグループ化することができる。従って、無線ＬＡＮアクセスポイント２０のパケット処理の負荷を分散することができる。
【産業上の利用可能性】
【００８７】
本発明は、無線ＬＡＮシステムにおいて、各クライアント端末およびアクセスポイントの送信電力を制御する用途に適用できる。特に、アクセスポイントが小型および軽量で移動されやすい場合であっても、位置情報にもとづいてクライアント端末およびアクセスポイントの送信電力を適切に制御できる。また、本発明は、無線ＬＡＮシステムにおいて、各クライアント端末およびアクセスポイントの位置管理の用途に適用できる。
【図面の簡単な説明】
【００８８】
【図１】本発明による送信電力制御方法および位置管理方法を適用した無線ＬＡＮシステムの概念を示す説明図である。
【図２】無線ＬＡＮシステムの構成の一例を示すブロック図である。
【図３】位置情報データベース２２が記憶する情報の例を示す説明図である。
【図４】各無線ＬＡＮ装置２０，３０の位置情報を取得して位置管理情報を更新する処理と、各無線ＬＡＮ装置２０，３０の送信電力を制御する処理の一例を示す流れ図である。
【図５】無線ＬＡＮクライアント３０をグループ化して送信電力の制御を行う場合の概念を示す説明図である。
【図６】１つの無線チャネルだけを用いて送信電力の制御を行う場合の概念を示す説明図である。
【図７】各無線ＬＡＮ装置２０，３０の位置管理の適用概念を示す説明図である。
【図８】無線ＬＡＮ装置２０，３０の位置をブラウザを用いて表示した表示画面の例を示す説明図である。
【図９】従来の無線ＬＡＮシステムの概念を示す説明図である。
【符号の説明】
【００８９】
１０  ＧＰＳ衛星
２０  無線ＬＡＮアクセスポイント
２１  ＧＰＳ受信部
２２  位置情報データベース
２３  位置管理部
２４，２５  出力制御部
２６，２７  パケット処理部
２８，２９  トランシーバ
３０ａ，３０ｂ  無線ＬＡＮクライアント
３１  ＧＰＳ受信部
３２  出力制御部
３３  パケット処理部
３４  トランシーバ
【図１】
2005303669.tif 000003
【図２】
2005303669.tif 000004
【図３】
2005303669.tif 000005
【図４】
2005303669.tif 000006
【図５】
2005303669.tif 000007
【図６】
2005303669.tif 000008
【図７】
2005303669.tif 000009
【図８】
2005303669.tif 000010
【図９】
2005303669.tif 000011